(57)【要約】      （修正有）【課題】どのような台の上においても、より容易にゲームが楽しめる、汎用性の高められた遊戯装置を提供する。【解決手段】遊戯装置１は、ターゲットとなる球Ｂｔ若しくはピンが置かれる台２の上に載置される遊戯装置１であって、台２の一端に配設されて台２から落下する球Ｂｔ、Ｂｂ若しくはピンを収容すると共に、底面に落下する球Ｂｔ、Ｂｂを選択的に通過させる孔Ｈ１を有する網４と、台２の上に載置されると共に、網４が一端に位置するよう網４を支持する角材３を備える。【選択図】図１
0003228309.tif 000002
【実用新案登録請求の範囲】
【請求項１】
ターゲットとなる球若しくはピンが置かれる台の上に載置される遊戯装置であって、
前記台の一端に配設されて前記台から落下する球若しくは前記ピンを収容すると共に、底面に前記落下する球を選択的に通過させる孔を有する網と、
前記台の上に載置されると共に、前記網が前記一端に位置するよう前記網を支持する支持手段を備えた遊戯装置。
【請求項２】
前記支持手段は、前記台の幅以下の間隔で載置され、それぞれ前記台の長手方向に伸長した二本の部材であり、
前記台の表面に垂直で前記幅方向に延伸する面を形成するよう、前記二本の部材の間に張られた第２の網をさらに備えた、請求項１に記載の遊戯装置。
【請求項３】
前記部材の一端に設けられ、前記第２の網を自動で巻取ることができる巻取り部をさらに備えた、請求項２に記載の遊戯装置。
【請求項４】
前記支持手段は、
前記網の外縁を囲む枠と、
前記台の上に載置され、前記枠を固定する枠固定手段を含む請求項１に記載の遊戯装置。
【考案の詳細な説明】
【技術分野】
【０００１】
本発明は、台上でゲームを楽しむための遊戯装置に係るものである。
【背景技術】
【０００２】
本願の考案者はこれまでに、特許文献１から３に示されるように、既存の卓球台などの台の上でビリヤードやボーリングといったゲームを手軽に楽しむことができる遊戯装置を発明した。
【先行技術文献】
【特許文献】
【０００３】
【特許文献１】特許第６３６２８０７号公報
【特許文献２】特許第６４３３１０５号公報
【特許文献３】特許第６６７５５２３号公報
【考案の概要】
【考案が解決しようとする課題】
【０００４】
ここで、上記のような装置においては、どのような台の上においても、より容易に上記のようなゲームを楽しむことができるという汎用性の向上が課題となる。
【０００５】
本考案は、このような課題を解決するためになされたもので、汎用性の高められた遊戯装置を提供することを目的とする。
【課題を解決するための手段】
【０００６】
本考案は上記課題を解決するため、ターゲットとなる球若しくはピンが置かれる台の上に載置される遊戯装置であって、上記台の一端に配設されて台から落下する球若しくはピンを収容すると共に、底面に上記落下する球を選択的に通過させる孔を有する網と、上記台の上に載置されると共に、上記網が上記一端に位置するよう網を支持する支持手段を備えた遊戯装置を提供する。
【考案の効果】
【０００７】
本考案によれば、汎用性が高められた遊戯装置を提供することができる。
【図面の簡単な説明】
【０００８】
【図１】本考案の実施の形態１に係る遊戯装置１の平面図である。
【図２】図１に示されたピンポン球Ｂｔを台２上にランダムに置くための拡散器１０の構成を示す図であり、それぞれ図２（ａ）は側面図、図２（ｂ）は平面図である。
【図３】図１に示された遊戯装置１を用いて行うことのできる他のゲームを説明するための平面図である。
【図４】図１に示された遊戯装置１を用いて行うことのできるさらに他のゲームを説明するための図であり、それぞれ図４（ａ）は斜視図、図４（ｂ）は側面図である。
【図５】図１に示されたＡ１−Ａ１線における遊戯装置１の断面構造を示す断面図である。
【図６】図１に示された遊戯装置１の側面図である。
【図７】図１に示された網４の構成を示す平面図である。
【図８】図７に示された網４を固定する構成の一例を示す側面図である。
【図９】図１に示された角材３の構成を示す側面図である。
【図１０】本考案の実施の形態２に係る遊戯装置２０の斜視図である。
【図１１】図１０に示された遊戯装置２の図５に対応する断面図である。
【図１２】図１０に示された遊戯装置２０の側面図である。
【考案を実施するための形態】
【０００９】
以下において、本考案の実施の形態を図面を参照しつつ詳しく説明する。なお、図中同一符号は同一又は相等部分を示す。
【００１０】
［実施の形態１］
図１は、本考案の実施の形態１に係る遊戯装置１の平面図である。図１に示されるように、遊戯装置１は、ターゲットとなる球Ｂｔ若しくは後述するピンが置かれる台２の上に載置される遊戯装置であって、図１の上方に当たる台２の一端に配設されて台２から落下する球Ｂｔ，Ｂｂ若しくは上記ピンを収容すると共に、底面に上記落下する球Ｂｔ，Ｂｂを選択的に通過させる孔Ｈ１を有する網４と、台２の上に載置されると共に、網４が上記一端に位置するよう網４を支持する二本の角材３を備える。
【００１１】
上記二本の角材３はそれぞれ、図１に示されるように、図１の上下方向に当たる台２の長手方向に伸長し、台２の幅以下の間隔で台２の上に載置される。
【００１２】
また、遊戯装置１は、後述する図５に示されるように、二本の角材３の各々の一端に設けられた自動巻取り部５の間に張られ、台２の表面に垂直で上記幅方向に延伸する面を形成する第２の網Ｎを含む。このような網Ｎを使用すれば、その幅を容易に調節することができるため、様々な幅を持った台２の上に遊戯装置１を載置して使用することができる。
【００１３】
なお、上記の自動巻取り部５を有する第２の網Ｎは、市販されている自動巻取り機能付き卓球用ネットを使用すれば好適である。
【００１４】
以上のような遊戯装置１を用いることにより、台２の上において種々のゲームを手軽に楽しむことができるが、以下においてはその代表例について概説する。
【００１５】
ゲーム開始前に、図１に示されるように、台２の表面にターゲットとなるピンポン球Ｂｔを予め定めた数だけランダムに配置する。そして、ユーザは台２の端に設けられた打球配置部Ｓに置かれたビリヤード球Ｂｂを、ビリヤードで使用するキュー等を用いてピンポン球Ｂｔに衝突させるよう矢印方向に打ち出す。このとき、台２上に配置された全てのピンポン球Ｂｔを台２の上から落とすために必要としたビリヤード球Ｂｂの数が最も少ない者がゲームの勝者となる。
【００１６】
なお、上記のように、ピンポン球Ｂｔを台２の上にランダムに配置させるためには種々の方法があるが、例えば図２に示すような拡散器１０を用いると好適である。
【００１７】
拡散器１０は、図２に示されるように、底面に孔ｈが設けられピンポン球Ｂｔを収容する収容部と、本収容部を支持する三本の脚Ｌ１〜Ｌ３と、孔ｈの開閉ができるようなスライド式の開閉板ＰＬを備える。
【００１８】
そこで、ユーザはピンポン球Ｂｔが収容された拡散器１０を台２の表面に載置し、開閉板ＰＬをスライドさせて孔ｈを開くことにより、ピンポン球Ｂｔを台２の上に拡散させる。
【００１９】
遊戯装置１では、その他にも、図３に示されるように、ターゲット配置部Ｓ１に整列させたピンポン球Ｂｔを、打ち出したビリヤード球Ｂｂで台２から落とすという一種のボーリングゲームを楽しむこともできる。
【００２０】
さらに、遊戯装置１では、図３に示されたピンポン球Ｂｔに替えて、図４に示された位置決め器ＳＴを用いてボーリングのミニチュアからなるピンｔｐを台２上に整列させれば、ユーザはよりリアルなボーリングゲームを楽しむことができる。
【００２１】
図５は図１に示されたＡ１−Ａ１線における遊戯装置１の断面構造を示す断面図であり、図６は図１に示された遊戯装置１の側面図である。これらの図に示されるように、角材３は金具７ｃと固定ネジ７ａ，７ｂにより台２に着脱可能な状態で取り付けられる、また、金具７ｃには保持部材３ａが連結され、挟持部５ｐ，５ｑが保持部材３ａを内蔵するバネの力によって上下から挟持することにより自動巻取り部５が角材３に支持される。
【００２２】
また、網４は図７に示されるように、柔軟性のあるメッシュの網で、底面には、軽い上記ピンポン球Ｂｔは通さないが、より重い上記ビリヤード球Ｂｂを選択的に落下させる孔Ｈ１があけられている。
【００２３】
図８は、図７に示された網４を固定する構成の一例を示す側面図である。図８に示されるように、網４は例えば、その外縁に矩形等の形を有する網枠１１を設け、角材３の上に設置された弾力性のある金属板からなる網枠支え具１２に嵌合させることにより、網枠１１を固定すると好適である。なお、図８に示された網枠支え具１２は、その一端が、溶接された網枠ストッパー１３により固定されている。
【００２４】
このように網４を固定すれば、台２から落下する球Ｂｔ，Ｂｂ若しくは上記ピンを収容すると共に、回収の便宜を図るために孔Ｈ１から球Ｂｔ，Ｂｂを選択的に通過させるという網４の機能を、より確実に発揮させることができる。
【００２５】
また、角材３のうち図１の下方に当たる端には、図９に示されるように、台２との間に角材３を台２の表面に半固定するための半粘着材料が設けられると共に、角材３を安定させるための錘９が付設されている。
【００２６】
以上のような構成を有する本考案の実施の形態１に係る遊戯装置１によれば、どのような種類の台２であっても、その幅に合致するよう装置の幅を変えて当該台の表面に載置することができるため、上記のような種々のゲームを手軽に楽しめ、結果として汎用性を高めることができる。
【００２７】
［実施の形態２］
図１０は、本考案の実施の形態２に係る遊戯装置２０の斜視図である。遊戯装置２０は、上記実施の形態１に係る遊戯装置１と同様な構成を有するため、以下では共通する部分の説明は省略し、相違点についてだけ説明する。
【００２８】
遊戯装置２０は、市販されている卓球台２１の上に載置して使用するために構成されたものである。上記卓球台２１の幅は規定されているため、実施の形態１に係る自動巻取り部５を有する第２の網Ｎを用いて網Ｎの幅を可変にする必要はない。そこで、図１０に示されるように、自動巻取り部５に替えて角材３の端に取り付けられた支柱６の間に網Ｎを張れば足りることになる。
【００２９】
なお、図１０から図１２に示されるように、二本の角材３は卓球台２１の表面の両サイドに載置され、側面から金具７ｄ，７ｅで卓球台２１に固定される。
【００３０】
以上のような本考案の実施の形態２に係る遊戯装置２０によれば、実施の形態１に係る遊戯装置１と同様な作用効果を得ることができると共に、さらに簡素な構成とされているため、製造コストや販売価格の低減を実現し、上記汎用性をさらに高めることができる。
【符号の説明】
【００３１】
１，２０  遊戯装置、２  台、３  角材、３ａ  保持部材、４，Ｎ  網、５  自動巻取り部、６  支柱、７ａ，７ｂ  固定ネジ、７ｃ〜７ｅ  金具、１１  網枠、１２  網枠支え具、２１  卓球台、Ｈ１  孔、Ｂｔ  ピンポン球、ｔｐ  ピン。
【図１】
0003228309.tif 000003
【図２】
0003228309.tif 000004
【図３】
0003228309.tif 000005
【図４】
0003228309.tif 000006
【図５】
0003228309.tif 000007
【図６】
0003228309.tif 000008
【図７】
0003228309.tif 000009
【図８】
0003228309.tif 000010
【図９】
0003228309.tif 000011
【図１０】
0003228309.tif 000012
【図１１】
0003228309.tif 000013
【図１２】
0003228309.tif 000014